(57)【要約】【課題】  透明シールの利点を生かした上で美しい人物印刷を可能とし、より面白味がある個性的な写真シールを作成できる写真撮影編集方法及び写真撮影編集装置を提供する。【解決手段】  写真撮影編集方法又は写真撮影編集装置であって、透明のシール紙を使用し、編集処理で表示色による表示色画像及び下地色による下地色画像を重ねて構成する下地有り画像と、表示色による表示色画像で構成する下地無し画像とで前記編集画像の作成を許容し、印刷手段で前記表示色と前記下地色での印刷を実行する。【選択図】    図５
2005167781.tif 000002
【特許請求の範囲】
【請求項１】
一以上の被写体を撮影手段で撮影して撮影画像の作成を許容し、
該撮影画像、又は／及び他の取得手段で取得の取得画像等の編集対象画像に、利用者が編集手段で編集して編集画像を作成する編集処理を許容し、
前記編集画像をシール紙に印刷手段で印刷する写真撮影編集方法であって、
前記シール紙に、透明のシール紙を使用し、
前記編集処理で、表示色による表示色画像及び下地色による下地色画像を重ねて構成する下地有り画像と、表示色による表示色画像で構成する下地無し画像とで前記編集画像の作成を許容し、
前記印刷手段で、前記表示色と前記下地色での印刷を実行する
写真撮影編集方法。
【請求項２】
前記編集処理で、前記編集画像の作成に使用する描画アイテムとして、前記下地有り画像で形成する下地有り描画アイテムと前記下地無し画像で形成する下地なし描画アイテムとを選択許容する
請求項１記載の写真撮影編集方法。
【請求項３】
前記印刷処理で、前記編集画像の背景を下地色なしに設定した背景透明画像と、該編集画像の背景を下地色有りに設定した背景不透明画像とを、前記シール紙上に配置して印刷する
請求項１又は２記載の写真撮影編集方法。
【請求項４】
一以上の被写体を撮影して撮影画像を作成可能な撮影手段と、
該撮影画像、又は／及び他の取得手段で取得の取得画像といった編集対象画像を編集して編集画像を作成する編集処理が実行可能な編集手段と、
前記編集画像をシール紙に印刷する印刷処理が実行可能な印刷手段とを備えた写真撮影編集装置であって、
前記シール紙を、透明のシール紙で形成し、
前記編集処理を、表示色による表示色画像及び下地色による下地色画像を重ねて構成する下地有り画像と、表示色による表示色画像で構成する下地無し画像とで前記編集画像を作成可能に設定し、
前記印刷手段を、前記表示色と前記下地色の印刷を可能に構成した
写真撮影編集装置。
【請求項５】
前記編集処理を、前記編集画像の作成に使用する描画アイテムとして、前記下地有り画像で形成する下地有り描画アイテムと前記下地無し画像で形成する下地なし描画アイテムとを選択して使用可能に設定した
請求項４記載の写真撮影編集装置。
【請求項６】
前記印刷処理を、前記編集画像の背景を下地色なしに設定した背景透明画像と、該編集画像の背景を下地色有りに設定した背景不透明画像とを、前記シール紙上に配置して印刷する設定とした
請求項４又は５記載の写真撮影編集装置。
【発明の詳細な説明】
【技術分野】
【０００１】
この発明は、例えば一以上の被写体を撮影して撮影画像を編集し、シール紙に印刷するような写真撮影編集方法及び写真撮影編集装置に関する。
【背景技術】
【０００２】
従来、写真撮影編集装置としては、利用者が硬貨を投入した後、筐体内に設置された背景用のカーテンを好みの色にして引き出し、様々なライティングを選択し、高解像度のＣＣＤカメラで撮影するようなものが提案されている。
【０００３】
このような写真撮影編集装置では、美白効果やグラビア風等の凝った撮影をすることができる。また、液晶パネル上に表示した撮影画像に対しては、付属ペン・指・スタンプ等を用いて、任意あるいは所定の文字・図形等の書き込みや編集をすることができる。これらにより、利用者は個性的な編集画像をシール紙等に印刷することが可能となっている。
【０００４】
また、近年では、より面白味がある個性的な写真シールが求められており、多種多様な写真撮影編集装置が提案されている。
【０００５】
例えば、シール紙に印刷した映像が透けて見えるようにし、腕時計の文字盤ガラス、透明ガラスコップやスケルトン商品に貼付した場合でも、視界を遮ることなく、貼付した後方を視認できるような映像プリント装置が提案されている（特許文献１参照）。
【０００６】
しかし、上記映像プリント装置は、白紙の上に貼り付けた場合は問題ないが、図１７の使用状態説明図に示すように、写真シール１３４をチェック柄の物品等白色以外の場所に貼り付けると、透明のシール紙の特性から人物画像１３４ｃに地模様や地色が透けて見えてしまい、人物の色合いが変って見えることとなる。
【０００７】
従って、高解像度のＣＣＤカメラで人物を美しく撮影しても、人物の肌色等の詳細な部分が判別できなくなり、美しい人物画像を望む利用者の要求を満足できない問題があった。
【０００８】
また、透明のシール紙に従来通りに画像を印刷した場合、印刷濃度が通常は低く見えるため、濃度調整ダイヤルで印刷濃度を調整し、透明シールに映像を最も適正な濃度で鮮明に印刷することが提案されている。
【０００９】
しかし、通常のプリンタとインクは白地の上に印刷することが想定されており、白色部分は印刷を行わずに下地の色に頼ることからも、印刷濃度を調整した程度では利用者の要望に適う美しさの印刷はできなかった。
【００１０】
【特許文献１】登録実用新案第３０５７６４１号公報
【発明の開示】
【発明が解決しようとする課題】
【００１１】
この発明は、上述の問題に鑑み、透明シールの利点を生かした上で美しい人物印刷を可能とし、より面白味がある個性的な写真シールを作成できる写真撮影編集方法及び写真撮影編集装置を提供することを目的とする。
【課題を解決するための手段】
【００１２】
この発明は、一以上の被写体を撮影手段で撮影して撮影画像の作成を許容し、該撮影画像、又は／及び他の取得手段で取得の取得画像等の編集対象画像に、利用者が編集手段で編集して編集画像を作成する編集処理を許容し、前記編集画像をシール紙に印刷手段で印刷する写真撮影編集方法または写真撮影編集装置であって、前記シール紙に、透明のシール紙を使用し、前記編集処理で、表示色による表示色画像及び下地色による下地色画像を重ねて構成する下地有り画像と、表示色による表示色画像で構成する下地無し画像とで前記編集画像の作成を許容し、前記印刷手段で、前記表示色と前記下地色での印刷を実行する写真撮影編集方法または写真撮影編集装置であることを特徴とする。
【００１３】
前記撮影手段は、デジタルカメラ又はデジタルビデオカメラで構成することを含む。  
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１４】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することを含む。
【００１５】
前記編集手段は、利用者にタッチペン又は指でタッチされた座標を取得するタッチパネルやマウス等のポインティングデバイス（座標入力手段）で構成することを含む。  
前記編集対象画像は、前記撮影画像又は／及び前記取得画像で構成することを含む。
【００１６】
前記シール紙は、印刷可能層の裏側に粘着層を備えたシール媒体等、貼付可能媒体で構成することを含む。  
前記印刷手段は、インクジェットプリンタ、昇華型熱転写プリンタや溶融型熱転写プリンタ等の熱転写プリンタ、又はレーザプリンタ等、カラー、モノトーン、又はセピア（ｓｅｐｉａ）トーン等で画像を印刷する印刷装置で構成することを含む。
【００１７】
前記表示色は、ＣＭＹＫ（シアン、マゼンタ、イエロー、ブラック）の４色で構成するカラー色、黒の１色で構成するモノトーン色、又は、所定の１色で構成する単色等、印刷後に表示する色で構成することを含む。
【００１８】
前記表示色画像は、撮影した被写体画像、編集書込みした書込み画像、選択された背景画像、又はこれらの複数で構成する画像等、印刷後に表示する画像で構成することを含む。
【００１９】
前記下地色は、白色等の単色で構成することを含む。  
前記下地色画像は、前記単色で構成する２階調画像、若しくは前記単色で構成するスケール画像（例えばホワイトスケール画像）で構成することを含む。
【００２０】
この発明の態様として、前記編集処理で、前記編集画像の作成に使用する描画アイテムとして、前記下地有り画像で形成する下地有り描画アイテムと前記下地無し画像で形成する下地なし描画アイテムとを選択許容することができる。
【００２１】
前記描画アイテムは、フルーツや動物等のアイコンで構成する描画アイコン、文字で構成する描画文字、模様を描ける描画模様、フリーハンドで線を描ける描画線、又はこれらの複数で構成することを含む。
【００２２】
またこの発明の態様として、前記印刷処理で、前記編集画像の背景を下地色なしに設定した背景透明画像と、該編集画像の背景を下地色有りに設定した背景不透明画像とを、前記シール紙上に配置して印刷することができる。
【００２３】
前記背景は、撮影した被写体以外の部分、撮影した被写体と前記下地有り画像以外の部分、又は、撮影した被写体と前記下地有り画像と前記下地無し画像以外の部分等、編集画像中の背景として認識可能な部分で構成することを含む。
【発明の効果】
【００２４】
この発明により、透明シールの利点を生かした上で美しい人物印刷を可能とし、より面白味がある個性的な写真シールを作成することができる。
【発明を実施するための最良の形態】
【００２５】
この発明の一実施形態を以下図面と共に説明する。  
まず、図１に示す正面右上から見た斜視図と共に、写真シール作成機１の外観について説明する。
【００２６】
写真シール作成機１は、ボックス状の枠体３で囲繞した撮影空間５の正面奥側に筐体４を備えており、前記枠体３の上辺からは、側面及び正面にカーテン２（右側面は一部図示省略）を吊るして、撮影空間５を外界から隔離している。
【００２７】
前記筐体４には、正面中央に前下がりの傾斜部を形成し、該傾斜部に液晶ディスプレイで形成するモニタ１４を横並びに２つ備える。各モニタ１４にはタッチパネル１５ａをそれぞれに重ねて設け、タッチパネル１５ａの近傍にそれぞれ備えたタッチペン１５ｂで該タッチパネル１５ａをタッチさせて、利用者の入力を許容する。
【００２８】
前記傾斜部の上方の鉛直部には、中央にデジタルカメラ１２を備え、該デジタルカメラの左右にストロボ発光する照明装置１３，１３を配設する。なお、該照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００２９】
筐体４の右側面には、硬貨の投入を許容するコイン投入口１６ａを備え、該コイン投入口１６ａの横に、作成した写真シールシートを排出する写真シール排出口１８ａを備える。
【００３０】
以上の構成により、利用者は照明装置１３の照明を受けてデジタルカメラ１２で撮影し、該撮影による撮影画像に対してタッチパネル１５ａをタッチペン１５ｂでタッチして編集し、該編集によって得た編集画像をプリンタで印刷して写真シールシート３３を提供することができる。
【００３１】
次に、図２に示す写真シール作成機１の制御回路を示す回路ブロック図と共に、写真シール作成機１の回路構成について説明する。
【００３２】
制御装置１１は、ＣＰＵ，ＲＯＭ，及びＲＡＭを内蔵して各装置の制御を実行し、該制御装置１１に接続して以下の各装置を備える。なお、制御装置１１は、記憶装置２０に格納したプログラムに従って各処理を実行し、後述の下地有り画像や下地無し画像を利用した編集処理も実行する。
【００３３】
デジタルカメラ１２は、制御装置１１からのシャッタ信号を受けて撮影を実行し、撮影画像を静止画データで制御装置１１に送信する。なお、撮影前のプレビュー画像については、動画データで制御装置１１に送信する。また設定信号を受信し、設定値の変更等を実行する。
【００３４】
照明装置１３は、制御装置１１からの照明制御信号（光度調整信号を含む）に従って、光度調整及び調整された光度でのストロボ発光を実行し、撮影時に被写体を略均一に照明する。なお、該照明装置１３は、ストロボ発光するストロボ照明装置（瞬間照明装置）に加えて又は替えて、蛍光灯照明装置又は／及び白熱灯照明装置で構成する連続照明装置を追加しても良い。連続照明装置を備えた場合には、撮影前のライブビュー表示によるポーズ確認で、照明イメージを事前に確認してポーズを決定することが可能となる。
【００３５】
モニタ１４は、制御装置１１からのＲＧＢ信号に従って、プレビュー、撮影画像、画像編集時のペンツールやスタンプツール等のアイテム画像等、必要な画像を表示する。
【００３６】
なお、該モニタ１４に加えて、デジタルカメラ１２の近傍にプレビュー表示を可能にするモニタを別途備えても良い。この場合は、撮影ポーズや位置の確認、ならびに照明時の色合いや光度の確認をカメラ目線で行うことができる。
【００３７】
入力装置１５は、前述のタッチパネル１５ａ（図１）とタッチペン１５ｂで構成し、利用者にタッチペン１５ｂでタッチされた座標を入力信号として制御装置１１に送信する。
【００３８】
貨幣処理装置１６は、前述のコイン投入口１６ａ（図１）の内部に位置して設けており、該コイン投入口１６ａから投入された硬貨等のコインの真偽判別及び金種判別を実行する。該真偽判別及び金種判別が正であれば、プレイを開始する起動信号を制御装置１１に送信する。
【００３９】
ＩＤタグリーダ／ライタ１７は、制御装置１１の設定情報書込みに従ってシール紙ユニット３０のＩＤタグ３１に設定情報書込みを行い、印刷残回数などの設定データを記憶させる。
【００４０】
また該ＩＤタグリーダ／ライタ１７は、制御装置１１の設定情報読込みに従って前記ＩＤタグ３１の設定情報読込みを実行し、該ＩＤタグ３１に記憶のＩＤナンバーや印刷残回数などの設定データを制御装置１１に送信し、シール紙ユニット３０の適否判断を可能にする。
【００４１】
プリンタ１８は、制御装置１１から印刷データを受信し、該印刷データのプリント画像をロール状のシール紙３２に印刷して写真シールシート３３を作成し、該写真シールシート３３を写真シール排出口１８ａ（図１）から排出する。
【００４２】
カーテン部１９は、ロールカーテンの巻上げ／巻降ろしを実行するモータと、ＩＤタグと通信するＩＤタグリーダ／ライタで構成し、制御装置１１からの制御信号に従ってロールカーテンの巻上げ、巻降ろしを実行する。
【００４３】
利用者によって持込みカーテンが装着された場合には、該持込みカーテンに取り付けられたＩＤタグからカーテン情報を読み取り、該カーテン情報を入力信号として制御装置１１に送信する。
【００４４】
記憶装置２０は、アイテム画像や背景画像やペンタイプ等の描画ツールデータ、通常（デフォルト）の照明光度やプレイ料金等の各種設定データ、及び必要なプログラムを記憶する。
【００４５】
以上の回路構成により、デジタルカメラ１２で撮影し、撮影画像に対して下地の有無を含めて利用者による入力装置１５での編集を許容し、編集画像をプリンタ１８でシール紙３２に印刷することができる。
【００４６】
次に、図３、図４、図７、図８に示す写真シール作成機１の制御装置１１の動作を示す処理フロー図と共に、写真シール作成機１の動作について説明する。
【００４７】
利用者によってコイン投入口１６ａ（図１）にコインが投入されると（ステップｎ１）、制御装置１１は撮影処理を実行する（ステップｎ２）。
【００４８】
該撮影処理では、撮影準備している利用者をデジタルカメラ１２で動画撮影し、該動画像をモニタ１４にライブビュー表示し、同時に撮影開始ボタンも表示してポーズ決定を許容する。
【００４９】
利用者によりタッチペン１５ｂで撮影開始ボタンがタッチされるか、制限時間に到達すると、音声によってカウントダウンを行い、該カウントダウンのタイミングで照明装置１３をストロボ発光させると共に、デジタルカメラ１２のシャッタを切って撮影する。
【００５０】
該撮影によって利用者にＯＫとされた撮影画像が既定枚数（例えば４枚）得られるまで、カウントダウンから撮影までの処理を繰り返す。
【００５１】
このようにして撮影処理が終了すると、編集処理を実行し（ステップｎ３）、さらに印刷処理を実行して（ステップｎ４）、処理を終了する。
【００５２】
ここで、前記編集処理について図４の処理フロー図と共に説明すると、制御装置１１はまず図５の画面イメージ図に示す編集画面５０をモニタ１４に表示し、利用者による画像編集を許容する（ステップｐ１）。
【００５３】
該編集画面５０は、画面中央に編集画像を表示して画像編集を許容する画像編集枠５４を備え、該画像編集枠５４の左側に描画ツール選択枠５１を備え、該画像編集枠５４の右側に描画状態を選択する描画状態選択ボタン群６２を備える。
【００５４】
また、画像編集枠５４の下側には、描画ツールの種別を選択する描画種別選択ボタン群５８を備える。
【００５５】
該描画種別選択ボタン群５８としては、ブラシでなぞられた部分に予め用意した背景画像の一部を表示する背景ブラシツール５９、予め用意したスタンプ画像をタッチされた位置に貼り付け描画するスタンプツール６０、及びフリーハンドの曲線の描画を許容するペンツール６１を備える。
【００５６】
この描画種別選択ボタン群５８のいずれか１つのボタンが利用者にタッチされて切替えられると、描画ツール選択枠５１に表示する内容を変更する。
【００５７】
該描画ツール選択枠５１は、利用者が使用する描画ツールの色や形状を選択させる複数の色形状表示部５２と、該色形状表示部５２をスクロール表示可能とするスクロールバー５３とで構成する。
【００５８】
図示する状態では、描画種別選択ボタン群５８でペンツール６１が選択されているため、描画ツール選択枠５１の色形状表示部５２にはペンツールで使用できる色を表示している。
【００５９】
なお、スタンプツール６０が選択されている場合は色形状表示部５２にスタンプ画像を表示し、背景ブラシツール５９が選択されている場合は色形状表示部５２に背景模様を表示する。
【００６０】
前記描画状態選択ボタン群６２は、透明ボタン６３、不透明ボタン６４、背景レイヤーボタン６５、落書レイヤー（最上面レイヤー）ボタン６６、及び下地選択ボタン６７で構成する。
【００６１】
前記透明ボタン６３及び不透明ボタン６４は、描画ツールについて作用し透明／不透明選択ボタンとして機能する。すなわち、利用者によって描画ツールが使用されて描画される際に、図示するように透明ボタン６３が選択されていると下地無しの透明画像（下地無し画像）の描画を許容し、不透明ボタン６４が選択されていると下地有りの不透明画像（下地有り画像）の描画を許容する。
【００６２】
前記背景レイヤーボタン６５及び落書レイヤーボタン６６は、描画ツールについて作用し描画レイヤー（画層）切替えボタンとして機能する。すなわち、図示するように落書レイヤーボタン６６が選択されていると、最上面のレイヤーである落書レイヤーに描画を許容して人物の前に表示し、背景レイヤーボタン６５が選択されていると、最下面のレイヤーである背景レイヤーに描画を許容して人物の後ろに表示する。
【００６３】
前記下地選択ボタン６７は、タッチされると別画面を表示し、画像編集枠５４の背景に画面上で表示する下地画像を利用者に選択許容する。このとき、デジタルカメラ１２による下地画像撮影も許容し、例えば利用者が筆箱に写真シールを貼り付けたい場合に、筆箱の画像をデジタルカメラ１２で取り込み、透明の写真シールを貼り付けた際のイメージがどのようになるか確認しながら編集することを許容する。
【００６４】
これにより、利用者が貼り付ける予定の下地に対して、編集している透明の写真シールを貼り付けるとどのように見えるかを、事前に確認することを可能としている。
【００６５】
前記画像編集枠５４には、被写体を撮影した撮影画像５７、不透明なアイテム画像である不透明アイテム画像５５、及び、透明（半透明）なアイテム画像である透明アイテム画像５６を利用者の描画に従って表示する。
【００６６】
編集前に表示する画像編集枠５４の初期状態では、画像編集枠５４には透明部分であることを白色と薄いグレー色の市松模様で示す透明模様６８と、被写体を切り抜いた撮影画像５７とを表示する。
【００６７】
前記撮影画像５７は、図６の画像説明図の（Ａ），（Ｂ）に示すように、初期状態で下地有りの設定がなされている。すなわち、編集開始の手前に制御装置１１がクロマキー処理を実行し、（Ａ）に示すようにデジタルカメラ１２で撮影した画像から背景色（背景カーテン）の部分を切り取って被写体人物で構成する撮影画像５７と、（Ｂ）に示すように撮影画像５７の下地となる下地画像６９を制御装置１１が事前に作成している。
【００６８】
前記透明ボタン６３が選択された状態で描画された透明アイテム画像５６は、（Ｃ）に示すように表示色レイヤー４８（落書レイヤー及び背景レイヤー）上にはカラー画像で表示するが、（Ｄ）に示すように下地レイヤー４９には表示しない。
【００６９】
また、前記不透明ボタン６４が選択された状態で描画された不透明アイテム画像５５は、（Ｃ）、（Ｄ）に示すように表示色レイヤー４８上にカラー画像で表示すると共に、下地レイヤー４９上に１階調の塗りつぶしで形成する白色画像で表示する。
【００７０】
従って、不透明アイテム画像５５、透明アイテム画像５６、及び撮影画像５７を書込んだ状態では、（Ｅ）に示すように表示色レイヤー４８に表示し、（Ｆ）に示すように必要最小限の画像（不透明アイテム画像５５及び撮影画像５７）を白色と透明（若しくはデータ上は白黒）の２値画像で下地レイヤー４９に表示する。
【００７１】
なお、ＯＫボタン７０は編集ＯＫを入力させるボタンであり、クリアボタン７１は描画した編集内容をクリアして初期の撮影画像に戻すボタンである。
【００７２】
このようにして画像編集を利用者に許容し、編集制限時間の４分が経過するまで前記ステップｐ１にリピートする（ステップｐ２）。
【００７３】
制限時間が経過すると、制御装置１１はスタンプ画像を使用したか否かを判定し（ステップｐ３）、スタンプ画像を使用していた場合には全てのスタンプ画像が使用されたか否かを判定する（ステップｐ４）。
【００７４】
全てのスタンプ画像を使用していなかった場合には、使用したスタンプ画像を変数配列［指定スタンプ］に格納する（ステップｐ５）。前記ステップｐ３でＮＯであった場合、又は前記ステップｐ４でＹＥＳであった場合は、全てのスタンプ画像を変数配列［指定スタンプ］に格納する（ステップｐ６）。
【００７５】
制御装置１１は、指定スタンプ決定処理を実行し（ステップｐ７）、編集処理を終了する。
【００７６】
次に、図７に示す処理フロー図と共に、前記指定スタンプ決定処理について説明する。
【００７７】
制御装置１１は、まず変数［指定スタンプ］が空か否かを確認し（ステップｒ１）、空でなければ［指定スタンプ］数をカウントする（ステップｒ２）。変数［指定スタンプ］が空であった場合には、全てのスタンプ画像のアイテム数をカウントする（ステップｒ３）。
【００７８】
制御装置１１は、乱数シードを決定し（ステップｒ４）、乱数から変数［No］を求める（ステップｒ５）。詳述すると、関数「ｒｎｄ（）」により０〜１．０の一様乱数（小数値）を生成し、これに前記ステップｒ２又はｒ３でカウントしたカウント数（この実施形態では３．０）を乗算し、該乗算で得た数を関数「ｉｎｔ（）」にインプットし、整数値を取得する。
【００７９】
制御装置１１は、［指定スタンプ］に［Ｎｏ］＋１を格納し（ステップｒ６）、［指定スタンプ］をおまけ印刷に設定して（ステップｒ７）、指定スタンプ決定処理を終了する。
【００８０】
図３で説明した印刷処理（ステップｎ４）では、図８の処理フロー図に示すように、制御装置１１はまず分割数選択画面（図示省略）を表示する（ステップｓ１）。該分割数選択画面では、写真シールシート３３に何枚の写真シールを配置するかを利用者に選択させる。
【００８１】
利用者によって分割数が選択されると（ステップｓ２）、制御装置１１は分割数を選択された分割数に設定する（ステップｓ３）。
【００８２】
前記ステップｓ２に分割数が選択されるまでは、１５秒経過するまで待機し（ステップｓ４）、制限時間である１５秒が経過するとデフォルトの分割数（例えば８枚又は１６枚等）を分割数に設定する（ステップｓ５）。
【００８３】
制御装置１１は、前記分割数に従って画像サイズを調整して配置した印刷用画像を作成し、該印刷用画像を印刷データとしてプリンタ１８に送信する（ステップｓ６）。
【００８４】
制御装置１１は、前記印刷データ送信と共に、前記指定スタンプ決定処理でおまけスタンプ画像を設定したおまけ印刷に従い、おまけ印刷データもプリンタ１８に送信する（ステップｓ７）。
【００８５】
制御装置１１は、プリンタ１８を制御してシール紙３２に印刷画像及びおまけスタンプ画像を印刷させ、作成した写真シールシート３３を排出する（ステップｓ８）。
【００８６】
該印刷の際には、図９のインクの積層説明図に示すように、まず下地画像の印刷として白色層９５を印刷し、次に表示画像の印刷としてイエローを印刷するイエロー層９４、マゼンタを印刷するマゼンタ層９３、シアンを印刷するシアン層９２の印刷をし、最後に透明塗料を全面に塗布する保護層９１を印刷する。
【００８７】
以上の動作により、図１０の正面図に示すように、作成した写真シールシート３３を出力することができる。
【００８８】
該写真シールシート３３には、編集処理で作成された編集画像８１を選択された分割数で配置しており、周りの余白部分におまけスタンプ画像８２を配置しているため、利用者はこれらを自由に切り取って、写真シール３４とおまけスタンプシール３６とをそれぞれ単独で又は組み合わせて、適宜好みの場所に貼り付けることができる。
【００８９】
前記編集画像８１を切り取ってできた写真シール３４は、透明シールに下地有り画像と下地無し画像で構成しているため、図１１の（Ｆ）の使用状態説明図に示すように、貼付対象物３５がチェック柄等の濃い模様であっても効果的に貼り付けることができる。
【００９０】
すなわち、人物画像３４ｃ等の下地有り画像３４ａは、貼付対象物３５の表面模様に関わらず綺麗に発色してはっきりと美しく見ることができ、下地無し画像３４ｂは貼付対象物３５の表面模様に溶け込むようにぼんやりと見ることができる。
【００９１】
従って、写真シール３４は視覚効果に優れ、例えば不透明の星スタンプと透明の星スタンプを混在させる等、従来の写真シールになかった奥行き間と立体感を得ることができ、さらに背景を透明にしていることで貼付対象物３５との一体感を格段に向上させることができる。
【００９２】
また、図１１の（Ｇ）に示すように、人物画像３４ｃの背景部分に背景画像３４ｄを印刷することもできるため、人物画像３４ｃの周囲を下地有り画像の背景画像３４ｄ（場合によっては下地無し画像の背景画像でも良い）で構成した写真シール３４を作成することもできる。
【００９３】
この場合、編集処理にて消しゴムペン（透明化ペン）や消しゴムスタンプ（透明化スタンプ）を提供することで、見た目上切り取ったような透明部３４ｅを形成することができ、該透明部３４ｅに貼付対象物３５の表面模様を現させることができる。
【００９４】
これにより、貼付対象物３５の表面模様を効果的に生かした面白い写真シール３４を形成することができる。
【００９５】
さらに、おまけスタンプ画像８２についても、下地有り画像で構成する、あるいは下地無し画像で構成するといったことが可能であり、おまけスタンプ画像８２の周りは透明に形成することができる。
【００９６】
このため、おまけスタンプ画像８２が複雑な形状の画像であっても、（Ｆ）に示すように四角形や円形等の自由な単純形状に簡単に切り抜いておまけスタンプシール３６として使用することができる。また、２つのおまけスタンプ画像８２をあわせて切り抜いて、１枚のおまけスタンプシール３６として使用することもできる。このように切り抜いたおまけスタンプシール３６を写真シール３４と組み合わせて自由にレイアウトすることができる。
【００９７】
この組合せによるレイアウトは、写真シールシート３３の完成後に貼り付け段階で自由に考えることができ、また後からおまけスタンプシール３６を追加することも容易であるため、利用者は写真シール作成機１の利用終了後にも楽しむことができる。
【００９８】
写真シール３４の周りにおまけスタンプシール３６を複数配置して広い面積に貼り付けることも可能であるため、従来のように貼り付け完成サイズが写真シール３４の小さいサイズに限られず、広い面積に利用することができ、また写真シールは四角であるというイメージを払拭できる。
【００９９】
その上、おまけスタンプシール３６は自由な角度に回転させて貼り付けることも可能であり、回転させて貼り付けても周囲が透明であることによって違和感なく貼り付けることができる。従って、貼り付けレイアウトのバリエーションは多彩であり、利用者は作成した写真シールシート３３で当分の間楽しむことができる。
【０１００】
また、透明で印刷したスタンプ画像等のシール部分を利用して、写真シールの画像部分にボディペインティングのような編集を楽しむことができる。
【０１０１】
なお、前記ステップｐ５（図４）では使用したスタンプを変数配列［指定スタンプ］に格納したが、使用していないスタンプ画像を変数配列［指定スタンプ］に格納する設定としても良い。
【０１０２】
この場合は、使用していないスタンプ画像をおまけスタンプ画像として取得できるため、使用し切れなかったスタンプ画像が得られて利用者の満足度を向上させることができる。
【０１０３】
次に、第２の実施形態として、おまけスタンプ画像として特別スタンプを用意した場合について説明する。  
この場合は、前記編集処理を図１２の処理フロー図に示すように変更する。
【０１０４】
まず、制御装置１１は利用者による画像編集を（ステップｔ１）、編集制限時間の４分が経過するまで許容し（ステップｔ２）、スタンプ画像を使用したか否かを判定する（ステップｔ３）。
【０１０５】
スタンプ画像を使用していなかった場合はステップｔ７にスキップし、使用していた場合には、全てのスタンプ画像が使用されたか否かを判定する（ステップｔ４）。
【０１０６】
全てのスタンプ画像を使用していた場合には、おまけ印刷用の特別スタンプを変数配列［指定スタンプ］に格納し（ステップｔ５）、そうでなかった場合には使用スタンプ画像を変数配列［指定スタンプ］に格納する（ステップｔ６）。
【０１０７】
制御装置１１は、指定スタンプ決定処理を実行し（ステップｔ７）、編集処理を終了する。
【０１０８】
他の構成及び動作については、前述の第１実施形態と同一であるので、その詳細な説明を省略する。
【０１０９】
以上の構成及び動作により、利用者は全てのスタンプ画像を使いきった場合に特別なスタンプ画像をおまけスタンプ画像として得ることができるため、アミューズメント性を高めて利用者の満足度を向上させることができる。
【０１１０】
次に、第３の実施形態として、おまけスタンプ画像を選択できる場合について、図１３に示す処理フロー図と共に説明する。
【０１１１】
まず、制御装置１１は利用者による画像編集を（ステップｕ１）、編集制限時間の４分が経過するまで許容する（ステップｕ２）。
【０１１２】
制限時間となると、制御装置１１は図１４に示すお知らせ画面１００を表示し、おまけスタンプ画像を余白に印刷する旨を案内して、次へ進むボタン１０１のタッチにより図１５に示すおまけスタンプ選択画面１０２をモニタ１４に表示する（ステップｕ３）。
【０１１３】
該おまけスタンプ選択画面１０２は、スタンプの種類別にグループ化して表示可能に構成しており、種別タグ１０３がタッチされると、その種別のおまけスタンプ画像８２を表示し、該おまけスタンプ画像８２のタッチ選択を許容する。ＯＫボタン１０４は選択ＯＫを入力するボタンであり、クリアボタン１０５は選択クリアを入力するボタンである。
【０１１４】
このようにして利用者におまけスタンプ画像８２が指定されると（ステップｕ４）、制御装置１１は、指定されたおまけスタンプ画像８２を変数配列［指定スタンプ］に格納し（ステップｕ５）、該指定を制限時間である１５秒が経過するまでの間繰返し許容する（ステップｕ６）。
【０１１５】
スタンプ指定中に制限時間である１５秒が経過した場合には（ステップｕ７）、制御装置１１は、［指定スタンプ］が空でなければステップｕ１０にスキップし（ステップｕ８）、［指定スタンプ］が空であれば前述した指定スタンプ決定処理を実行する（ステップｕ９）。
【０１１６】
前記ステップｕ６でＹＥＳであった場合、又は前記ステップｕ８でＹＥＳであった場合は、制御装置１１は、［指定スタンプ］をおまけ印刷に設定する（ステップｕ１０）。
【０１１７】
他の構成及び動作については、前述した第１の実施形態と同一であるので、その詳細な説明を省略する。
【０１１８】
以上の構成及び動作により、利用者は写真シールシート３３の余白部分に印刷するおまけスタンプ画像８２を自由に選択することが可能となり、利用者の満足度を向上させることができる。
【０１１９】
なお、以上の各実施形態において、写真シールシート３３は、図１６の正面図に示すように、背景画像３４ｄの部分を透明にした背景透明タイプの背景透明写真シール３４ｆと、背景画像３４ｄの部分を不透明にした背景有りタイプの背景不透明写真シール３４ｇを自動で割り付けて印刷しても良い。この場合、利用者は自動的に透明タイプの写真シールと不透明タイプの写真シールを得ることができ、写真シールのバラエティを豊かにして満足度を向上させることができる。
【０１２０】
また、クロマキー処理によって撮影した人物画像には下地印刷を行い、編集処理で利用者に描画された描画画像や背景画像については下地印刷を行わない設定としても良い。
【０１２１】
この場合、透明ボタン６３（図５）及び不透明ボタン６４は不要となり、単純なインタフェースで不透明の人物画像、半透明の描画画像、及び半透明の背景画像が混在した効果的な写真シール３４を作成することが可能となる。
【０１２２】
また、白色層９５（図９）に印刷する下地画像は塗りつぶしと無色との２階調で構成したが、たとえば中心から円周部に向って濃度が薄くなっていくグラデーション円等の印刷を可能とするように、複数階調（例えばグレースケール画像）で印刷する構成としても良い。
【０１２３】
この場合は、例えば青色円の描画画像とその下地のグラデーション円で構成する下地有り画像を作成し、表面色が黄色の物品にこの写真シール３４を貼り付けると、中心の不透明部分は青く、円周部の半透明部分は物品の表面色である黄色と描画画像の青が混ざって緑に見えるなど、より幻想的な写真シール３４を作成することが可能となる。
【０１２４】
また、編集処理で透明部分を表す透明模様６８は市松模様で構成したが、斜線を等間隔に表示して構成する、文字列（例えば写真シール作成機１の機種名等）を繰返し並べて表示する、あるいはこれらの任意の画像を水平方向や垂直方向等の任意方向に移動表示する等、透明であることを利用者が認識しやすい他の表示方法を採用しても良い。  
これにより、様々な方法で透明部分を利用者に認識させることができる。
【０１２５】
また、表示色の印刷にはシアン、マゼンタ、及びイエローを使用したが、さらにブラックを使用しても良く、これらに加えて銀色や蛍光色等の他の色を使用しても良い。これにより、より美しい発色の写真シール３４や、多彩な色合いの写真シール３４を作成することができる。
【０１２６】
また、図５に示す下地選択ボタン６７は備えなくても良い。この場合は、シンプルなインタフェースで編集処理を行うことが可能となる。
【０１２７】
また、モニタ１４は液晶ディスプレイで形成したが、ＣＲＴディスプレイ、鏡、又は、画像を投射するプロジェクタや映写機等の投射手段と上記画像を写像（像を写し出す）するスクリーンやカーテンや筐体等の写像手段とを有する投射写像手段等、画像を表示する他の表示手段で構成しても良い。また上記プロジェクタについては、透過型プロジェクタ又は反射型プロジェクタで構成しても良い。これにより、写真シール作成機１の設置スペース等に合わせた表示手段で画像表示を行なうことが可能となる。
【０１２８】
なお、図５、図６、図１０、図１１では、理解の容易化のために下地有り画像３４ａを縁取り表示で、下地無し画像３４ｂを縁取りなし表示で表現しているが、実際には下地有り画像３４ａ、下地無し画像３４ｂのいずれも縁取り印刷の有無は自由である。
【０１２９】
この発明の構成と、上述の実施形態との対応において、
この発明の写真撮影編集装置は、実施形態の写真シール作成機１に対応し、
以下同様に、
撮影手段は、デジタルカメラ１２に対応し、
編集手段は、入力装置１５に対応し、
印刷手段は、プリンタ１８に対応し、
背景透明画像は、背景透明写真シール３４ｆ上に印刷されている画像に対応し、
背景不透明画像は、背景不透明写真シール３４ｇ上に印刷されている画像に対応し、
表示色画像は、表示色レイヤー４８上のカラー画像に対応し、
下地色画像は、下地レイヤー４９上の白色画像に対応し、
編集対象画像は、撮影画像５７に対応し、
描画アイテムは、背景ブラシツール５９、スタンプツール６０、及びペンツール６１に対応し、
下地無し描画アイテムは、透明ボタン６３を選択した状態での背景ブラシツール５９、スタンプツール６０、及びペンツール６１に対応し、
下地有り描画アイテムは、不透明ボタン６４を選択した状態での背景ブラシツール５９、スタンプツール６０、及びペンツール６１に対応し、
表示色は、シアン、マゼンタ、及びイエローに対応し、
下地色は、白色に対応するも、
この発明は、上述の実施形態の構成のみに限定されるものではなく、多くの実施の形態を得ることができる。
【図面の簡単な説明】
【０１３０】
【図１】写真シール作成機の外観を示す斜視図。
【図２】写真シール作成機の制御回路を示す回路ブロック図。
【図３】写真シール作成機の制御装置の動作を示す処理フロー図。
【図４】写真シール作成機の制御装置の動作を示す処理フロー図。
【図５】モニタに表示する編集画面の画面イメージ図。
【図６】画像説明図。
【図７】写真シール作成機の制御装置の動作を示す処理フロー図。
【図８】写真シール作成機の制御装置の動作を示す処理フロー図。
【図９】インクの積層説明図。
【図１０】写真シールシートの正面図。
【図１１】写真シールの使用状態説明図。
【図１２】第２の実施形態の編集処理の処理フロー図。
【図１３】第３の実施形態の編集処理の処理フロー図。
【図１４】モニタに表示するお知らせ画面の画面イメージ図。
【図１５】モニタに表示するおまけスタンプ選択画面の画面イメージ図。
【図１６】写真シールシートの正面図。
【図１７】従来の写真シールの使用状態説明図。
【符号の説明】
【０１３１】
１…写真シール作成機
１２…デジタルカメラ
１５…入力装置
１８…プリンタ
３２…シール紙
３４ａ…下地有り画像
３４ｂ…下地無し画像
３４ｆ…背景透明写真シール
３４ｇ…背景不透明写真シール
４８…表示色レイヤー
４９…下地レイヤー
５７…撮影画像
５９…背景ブラシツール
６０…スタンプツール
６１…ペンツール
６３…透明ボタン
６４…不透明ボタン
８１…編集画像
【図１】
2005167781.tif 000003
【図２】
2005167781.tif 000004
【図３】
2005167781.tif 000005
【図４】
2005167781.tif 000006
【図５】
2005167781.tif 000007
【図６】
2005167781.tif 000008
【図７】
2005167781.tif 000009
【図８】
2005167781.tif 000010
【図９】
2005167781.tif 000011
【図１０】
2005167781.tif 000012
【図１１】
2005167781.tif 000013
【図１２】
2005167781.tif 000014
【図１３】
2005167781.tif 000015
【図１４】
2005167781.tif 000016
【図１５】
2005167781.tif 000017
【図１６】
2005167781.tif 000018
【図１７】
2005167781.tif 000019